(57)【要約】【課題】表示装置の設置または表示の自由度を向上させる。【解決手段】表示装置２０には、支持部材であるカメラ用三脚ＴＲと接続する接続部５２，５４が、互いに向きが異なる２つの辺に設けられている。また、接続部５２，５４の内部側に隣接して、スイッチ６２，６４が設けられている。ユーザが、カメラ用三脚ＴＲを接続部５２，５４のいずれかに接続すると、これに対応するスイッチ６２，６４のいずれかが押し下げられる。表示装置２０に接続されたコンピュータＰＣは、スイッチの信号を受け取ると、表示装置２０の設置方向を判断して、これに対応する画像データを生成し、表示装置２０に送出する。表示装置２０は、これを受け取って、表示パネル４０に画像を表示する。【選択図】図２
2010160363.tif 000002
【特許請求の範囲】
【請求項１】
画像を表示する表示装置であって、
前記表示装置の互いに向きが異なる少なくとも２つの辺にそれぞれ設けられ、該表示装置を支持する支持部材と接続される接続部と、
前記接続部ごとに設けられたスイッチであって、前記接続部に前記支持部材が接続された際に、該支持部材により押し下げられるスイッチによって、前記表示装置の設置方向を検出する検出部と、
該検出部の検出結果を、前記表示装置と通信可能に接続される画像データ生成装置に送出する送出部と、
該送出された検出結果に基づいて前記画像データ生成装置が生成する、前記検出された表示装置の設置方向に対応する画像データを受け取って、前記画像を表示する表示部と
を備えた表示装置。
【請求項２】
画像を表示する表示装置であって、
前記表示装置の互いに向きが異なる少なくとも２つの辺にそれぞれ設けられ、該表示装置を支持する支持部材と接続される接続部と、
前記接続部ごとに設けられたスイッチであって、前記接続部に前記支持部材が接続された際に、該支持部材により押し下げられるスイッチによって、前記表示装置の設置方向を検出する検出部と、
該検出された前記表示装置の設置方向に対応する画像データを生成する画像データ生成部と、
該生成した画像データに基づいて、前記画像を表示する表示部と
を備えた表示装置。
【請求項３】
請求項１または請求項２記載の表示装置であって、
前記支持部材は、カメラ用三脚であり、
前記接続部は、該カメラ用三脚に対応するねじ穴である
表示装置。
【発明の詳細な説明】
【技術分野】
【０００１】
本発明は、画像を表示する表示装置に関する。
【背景技術】
【０００２】
近年、液晶ディスプレイの普及等により、表示装置の軽量化、コンパクト化が進んでいる。その結果、表示装置は、プレゼンテーションや会議の場など、必要な時に必要な場所に持ち込んで使用されることも行われるようになってきた。かかる使用方法は、効率的で便利ではあるが、表示装置専用のスタンドが必要であった（例えば、下記特許文献１）。
【０００３】
しかしながら、かかる専用のスタンドは比較的高価であり、汎用性に劣っていた。また、かかる表示装置は、通常、矩形の表示パネルの長辺が横方向となるように設置されるため、設置スペースとして比較的広い面積が必要であり、また、横長の画像や縦長の画像など、種々の画像を状況に応じて好適に表示することができなかった。すなわち、表示装置の設置または表示の自由度が低いことが問題となっていた。
【先行技術文献】
【特許文献】
【０００４】
【特許文献１】特開２００７−１２８０８８号公報
【発明の概要】
【発明が解決しようとする課題】
【０００５】
上述の問題を考慮し、本発明が解決しようとする課題は、表示装置の設置または表示の自由度を向上させることである。
【課題を解決するための手段】
【０００６】
本発明は、上述の課題の少なくとも一部を解決するためになされたものであり、以下の形態又は適用例として実現することが可能である。
【０００７】
［適用例１］画像を表示する表示装置であって、
前記表示装置の互いに向きが異なる少なくとも２つの辺にそれぞれ設けられ、該表示装置を支持する支持部材と接続される接続部と、
前記接続部ごとに設けられたスイッチであって、前記接続部に前記支持部材が接続された際に、該支持部材により押し下げられるスイッチによって、前記表示装置の設置方向を検出する検出部と、
該検出部の検出結果を、前記表示装置と通信可能に接続される画像データ生成装置に送出する送出部と、
該送出された検出結果に基づいて前記画像データ生成装置が生成する、前記検出された表示装置の設置方向に対応する画像データを受け取って、前記画像を表示する表示部と
を備えた表示装置。
【０００８】
かかる構成の表示装置は、複数の接続部を備え、接続部の接続状態から表示装置の設置方向を検出し、当該設置方向に対応する画像データを画像データ生成装置から受け取って表示する。したがって、所望の方向に表示装置を設置することができる。また、設置方向に応じた画像表示を行うことができる。すなわち、表示装置の設置及び表示の自由度を向上できる。また、接続部の接続状況と連動するスイッチのＯＮ／ＯＦＦにより、表示装置の設置方向を検出するので、構成が簡単である。
【０００９】
また、本発明の表示装置は、適用例２の表示装置としても、適用例１と同様の効果を奏することができる。
［適用例２］画像を表示する表示装置であって、
前記表示装置の互いに向きが異なる少なくとも２つの辺にそれぞれ設けられ、該表示装置を支持する支持部材と接続される接続部と、
前記接続部ごとに設けられたスイッチであって、前記接続部に前記支持部材が接続された際に、該支持部材により押し下げられるスイッチによって、前記表示装置の設置方向を検出する検出部と、
該検出された前記表示装置の設置方向に対応する画像データを生成する画像データ生成部と、
該生成した画像データに基づいて、前記画像を表示する表示部と
を備えた表示装置。
【００１０】
［適用例３］適用例１または適用例２記載の表示装置であって、前記支持部材は、カメラ用三脚であり、前記接続部は、該カメラ用三脚に対応するねじ穴である表示装置。
かかる構成の表示装置は、カメラ用三脚を用いて支持することができるので、汎用性に優れる。
【図面の簡単な説明】
【００１１】
【図１】表示装置２０の概略構成を示す説明図である。
【図２】表示装置２０を用いた設置方向認識動作の流れを示す説明図である。
【図３】表示装置２０とカメラ用三脚ＴＲとの接続状態を示す説明図である。
【発明を実施するための形態】
【００１２】
Ａ．実施例：
本発明の実施例について説明する。
Ａ−１．装置構成：
本発明の実施例としての表示装置２０の概略構成を図１に示す。表示装置２０は、ディスプレイコントローラ３０、表示パネル４０、接続部５２，５４、スイッチ６２，６４、ＵＳＢインタフェース７２を備えている。表示パネル４０は、表示装置２０の側面に設けられた液晶ディスプレイである。本実施例では、表示パネル４０のアスペクト比は１６：１０であるが、特に限定するものではない。
【００１３】
ディスプレイコントローラ３０は、ＭＣＵ（ｍｉｃｒｏｃｏｎｔｒｏｌｌｅｒ）、メモリ等を備えており、メモリに記憶されたプログラムを実行して、表示装置２０の動作全般を制御する。また、ディスプレイコントローラ３０は、表示部３１、送出部３２としても機能し（詳細は後述）、後述するコンピュータＰＣから受け取った画像データに対して、表示パネル４０の標準解像度に合うように解像度調整を行うスケーラとしても機能する。
【００１４】
接続部５２，５４は、表示装置２０の支持部材としてのカメラ用三脚ＴＲに対応するねじ穴であり、本実施例では、ＪＩＳＢ７１９３  １／４−２ＯＵＮＣに準拠している。接続部５２、５４は、互いに向きが異なる２つの辺に設けられている。具体的には、接続部５２は表示装置２０の底辺（表示パネル４０の長辺）に、接続部５４は表示装置２０の側辺（表示パネル４０の短辺）に設けられている。要するに、カメラ用三脚ＴＲが接続部５２に接続されると、表示装置２０は、表示パネル４０が横長方向となるように設置され、カメラ用三脚ＴＲが接続部５４に接続されると、表示装置２０は、表示パネル４０が縦長方向となるように設置される。
【００１５】
スイッチ６２，６４は、接続部５２，５４に隣接して、接続部５２，５４よりも表示装置２０の内部側に設けられており、接続部５２，５４にカメラ用三脚ＴＲが接続されると、接続された三脚ＴＲの先端部によって当該スイッチが押し下げられる構成となっている。スイッチ６２，６４は、請求項の検出部に該当する。なお、本実施例では、接続部及びスイッチの数は２つとしたが、これらの数は、３つ以上であってもよい。
【００１６】
また、表示装置２０は、ＵＳＢインタフェース７２及びＵＳＢケーブルＣＡを介して、コンピュータＰＣに接続されている。コンピュータＰＣは、汎用のパーソナルコンピュータであるが、所定のプログラムがインストールされており、そのＣＰＵ８０は、画像データ生成部８２としても機能する。画像データ生成部８２は、水平走査線数、垂直同期周波数等のパラメータをセットすることで、フレームメモリに画像を生成するディスプレイコントローラとして機能し、画像データの縦／横方向変換機能も備えている。なお、表示装置２０とコンピュータＰＣとの接続方法は、特に限定するものではなく、通信可能に接続されていればよく、例えば、無線ＬＡＮを介して接続されていてもよい。
【００１７】
Ａ−２．設置方向認識動作：
上述した表示装置２０の設置方向認識動作について、図２を用いて説明する。設置方向認識動作とは、表示装置２０の設置方向を検出して、それに対応する画像を表示装置２０に表示させる動作である。本実施例における設置方向認識動作は、ユーザが、コンピュータＰＣと表示装置２０とを接続し、コンピュータＰＣの操作により所望の画像を表示装置２０の表示パネル４０に表示させた上で、表示装置２０の接続部５２，５４のいずれか一方にカメラ用三脚ＴＲを接続して、表示装置２０を支持させることにより開始される。なお、この時、表示パネル４０に表示される画像は、デフォルトの方向（本実施例では、表示装置２０が横向きに設置された場合に対応）で表示される。また、設置方向認識動作の開始までの作業手順は、特に限定するものではなく、例えば、表示装置２０をカメラ用三脚ＴＲで支持させた上で、コンピュータＰＣと表示装置２０とを接続してもよい。
【００１８】
カメラ用三脚ＴＲが接続されると、表示装置２０のスイッチ６２，６４のいずれか一方が押し下げられる。例えば、図３に示すように、接続部５２にカメラ用三脚ＴＲが接続されると、カメラ用三脚ＴＲの上端部がスイッチ６２の下端部と接して、スイッチ６２を押し下げるのである。かかるスイッチＯＮの信号が、ディスプレイコントローラ３０に入力されると、ディスプレイコントローラ３０は、送出部３２の処理として、当該信号をコンピュータＰＣに送出する（ステップＳ１１０）。
【００１９】
一方、コンピュータＰＣでは、スイッチＯＮの信号を受け取ると、ＣＰＵ８０は、表示装置２０がカメラ用三脚ＴＲにより、縦方向に設置されたのか、それとも、横方向に設置されたのかを判断する（ステップＳ２１０）。かかる判断は、受け取った信号が、スイッチ６２のＯＮによるものか、スイッチ６４のＯＮによるものかによって判断する。なお、スイッチ６２がＯＮとなるのは、表示装置２０が横方向（横長）に設置された場合であり、スイッチ６４がＯＮとなるのは、表示装置２０が縦方向（縦長）に設置された場合である。
【００２０】
そして、コンピュータＰＣのＣＰＵ８０は、画像データ生成部８２の処理として、ディスプレイコントローラのパラメータをセットして、上記ステップＳ２１０で判断した表示装置２０の設置方向に対応する向きの画像データを生成し、表示装置２０に送出する（ステップＳ２２０）。なお、ここで生成される画像データは、ユーザがコンピュータＰＣの操作により表示対象として選択した画像のデータである。
【００２１】
一方、表示装置２０では、コンピュータＰＣが送出した画像データを受け取ると、ディスプレイコントローラ３０が表示部３１の処理として、受信した画像データに基づいて、表示パネル４０に画像を表示する（ステップＳ１２０）。
【００２２】
かかる構成の表示装置２０は、表示装置２０の支持部材であるカメラ用三脚ＴＲが接続部５２，５４のいずれに接続されたかを検知することで表示装置２０の設置方向を検知し、その設置方向に対応する画像データを表示パネル４０に表示させる。したがって、表示装置２０を縦方向、横方向のいずれにも設置することができ、表示装置２０の設置方向の自由度を向上できる。また、設置方向に応じた画像を自動的に表示することができるので、表示装置２０の表示の自由度を向上できる。
【００２３】
また、表示装置２０は、接続部５２，５４に接続されるカメラ用三脚ＴＲによって押し下げられるスイッチ６２，６４によって設置方向を検出できるので、構成が簡単である。また、表示装置２０は、支持部材をカメラ用三脚ＴＲとし、カメラ用三脚ＴＲに対応する接続部５２，５４を備えているので、表示装置２０用の専用スタンドを必要としない。したがって、汎用性に優れる。
【００２４】
Ｂ．変形例：
Ｂ−１．変形例１：
上述の実施形態においては、表示装置２０は、カメラ用三脚ＴＲにより支持可能な構成としたが、表示装置２０の支持部材は、特に限定するものではない。例えば、表示装置２０の底辺部や側辺部の一部を挿入可能な溝形状を有する専用の支持部材としてもよい。かかる場合には、例えば、表示装置２０を支持部材の溝形状に挿入することで、表示装置の底辺や側辺に設けられたスイッチが押し下げられる構成としてもよい。
【００２５】
Ｂ−２．変形例２：
上述の実施形態においては、液晶式の表示パネルを用いた表示装置の例を示したが、表示パネルは、液晶式に限るものではなく、ＣＭＯＳ式、プラズマ式など、種々の表示パネルとすることができる。
【００２６】
Ｂ−３．変形例３：
上述の実施形態においては、接続部５２，５４にカメラ用三脚ＴＲが接続されると、接続された接続部５２または５４が表示装置２０の底辺に位置するように設置されたものとして検出する構成を示したが、さらに、重力方向を加味して、表示装置２０の設置方向を検出可能な構成としてもよい。例えば、スイッチ６２や６４の上部（接続部５２，５４と反対側）にバネを接続し、スイッチ６２，６４を所定方向に付勢することで、重力方向と接続状態の両方を判断基準とした検出を行うことも可能である。こうすれば、表示装置２０の側辺側を支持することで、設置方向を横向きにするような場合にも対応可能となる。
【００２７】
Ｂ−４．変形例４：
上述の実施形態においては、接続部５２，５４のいずれかにカメラ用三脚ＴＲが接続されると、当該三脚ＴＲの先端部によりスイッチが押し下げられることで、いずれの接続部にカメラ用三脚ＴＲが接続されたかを検出し、その結果、表示装置２０の設置方向を検出する構成としたが、接続状態の検出方法は、特に限定するものではなく、種々の検出方法を用いることができる。例えば、フォトカプラなどを用いて、支持部材との接続状態を光学的に検出する構成としてもよい。
【００２８】
Ｂ−５．変形例５：
上述の実施形態においては、表示装置２０が、表示装置の設置方向を検出し、表示装置２０に接続されたコンピュータＰＣが、検出した設置方向に対応する画像データを生成し、表示装置２０に送出する構成としたが、表示装置２０が、設置方向に対応する画像データを生成する構成としてもよい。こうすれば、表示装置２０にＵＳＢメモリなどの記憶媒体が接続された際に、簡単な構成で、記憶媒体に記憶された画像を表示することができる。また、実施例の構成においては、表示装置２０とコンピュータＰＣとを併せて、広義の表示装置として捉えることもできる。
【００２９】
以上、本発明の実施例について説明したが、本発明はこうした実施例に限られるものではなく、本発明の要旨を脱しない範囲において、種々なる態様で実施できることは勿論である。例えば、上述の実施例や変形例に示した構成を適宜組み合わせてもよい。
【符号の説明】
【００３０】
２０…表示装置
３０…ディスプレイコントローラ
３１…表示部
３２…送出部
４０…表示パネル
５２，５４…接続部
６２，６４…スイッチ
８０…ＣＰＵ
８２…画像データ生成部
ＰＣ…コンピュータ
ＣＡ…ケーブル
ＴＲ…カメラ用三脚
【図１】
2010160363.tif 000003
【図２】
2010160363.tif 000004
【図３】
2010160363.tif 000005